(57)【要約】      （修正有）【課題】日焼け防止および視界確保の効果に加え、風圧などにより飛ばされ難く、化粧を施していない素顔を隠す効果にも優れ、長い頭髪を有する着用者が快適に使用することができる日除け帽子を提供する。【解決手段】着用者の頭部に冠着するクラウン部２と、クラウン部２の外周縁に接続されたツバ部とを備える日除け帽子１であって、ツバ部は、クラウン部２の前部下周縁３に接して形成された開口部と、開口部の下周縁４から着用者の顔面下部までを覆う顔覆いツバ部５と、クラウン部の後部下周縁からツバ部の後部下周縁に向かって、着用者の髪をツバ部の外にだせる裾広がり状に形成された切欠部とを有し、ツバ部の開口部には着用者の視界を妨げない透明及び／又は透光性を有するフィルム部６を設ける。【選択図】図１
0003217834.tif 000002
【実用新案登録請求の範囲】
【請求項１】
着用者の頭部に冠着するクラウン部と、前記クラウン部の下周縁に接続されたツバ部とを備える日除け帽子であって、前記ツバ部は、前記クラウン部の前部下周縁から前方に突き出るように形成された開口部と、前記開口部の下周縁から着用者の顔面下部近傍までを覆う顔覆いツバ部と、前記クラウン部の後部下周縁から前記ツバ部の後部下周縁に向かって、着用者の髪をツバ部の外にだせる裾広がり状に形成された切欠部とを有し、前記ツバ部の開口部には着用者の視界を妨げない透明及び／又は透光性を有するフィルム部を設けたことを特徴とする日除け帽子。
【考案の詳細な説明】
【技術分野】
【０００１】  本考案は日除け帽子に関する。より詳しくは、クラウン部とツバ部とを備え、前記ツバ部の特定部位にサンバイザー部が形成された日除け帽子に関する。
【背景技術】
【０００２】  野外活動や外出などをする際に顔や首が日焼けすることを防止するため日除け帽子が賞用されている。従来の麦わら帽子等は、巾広いツバ部を設けたり、帽子本体の前部または後部に日除け布を備えたりして、着用者の顔や首を日差しから保護している。【０００３】  また、日焼け防止のみならず、着用者の視界確保も目的とした日除け帽子が幾つか提案されている。例えば、特許文献１には、顔前面の目視範囲の部分が網目状の生地で設けられた、横長の布の長辺を、ツバ付き帽子の後部を除くツバの縁辺部に沿って縫付されていることを特徴とする日除け帽子が開示されている。【０００４】  特許文献２には、人の顔を日差しから保護するための庇部を、紫外線遮蔽機能を有する透光性部材で構成し、かつ前記帽子本体の左右両側部から前部に亘ってその帽子本体に対し下方に傾斜を付して外向きに扇形状に張り出すように設けることを特徴とする首筋日除け帽子が開示されている。特許文献３には、麦わら帽子等の、つば全体または、つば前方部分に視界が快適で光の乱反射が抑えられるＵＶ加工のフィルムを設けることを特徴とする帽子が開示されている。【０００５】
【先行技術文献】
【特許文献】
【０００６】
【特許文献１】実用新案登録第３１６５３９０号  公報
【特許文献２】実用新案登録第３１７９０６８号  公報
【特許文献３】実用新案登録第３２１５９６０号  公報
【考案の概要】
【考案が解決しようとする課題】
【０００７】  一般的に日除け帽子、とりわけ婦人用の分野においては、より多機能でファッション性に優れた日除け帽子が求められている。そこで、本考案は、日焼け防止および視界確保の良好な効果に加え、例えば、女性が短時間の買い物などを目的として徒歩や自転車に乗って外出する際に、風圧などにより飛ばされ難く、化粧を施していない素顔を隠す効果（すっぴんかくし）にも優れ、しかも、長い頭髪を有する着用者（女性）が快適に使用することができる日除け帽子を提供することを目的とする。
【課題を解決するための手段】
【０００８】  本考案は、着用者の頭部に冠着するクラウン部と、前記クラウン部の下周縁に接続されたツバ部とを備える日除け帽子であって、前記ツバ部は、前記クラウン部の前部下周縁から前方に突き出るように形成された開口部と、前記開口部の下周縁から着用者の顔面下部近傍までを覆う顔覆いツバ部と、前記クラウン部の後部下周縁から前記ツバ部の後部下周縁に向かって、着用者の髪をツバ部の外にだせる裾広がり状に形成された切欠部とを有し、前記ツバ部の開口部には着用者の視界を妨げない透明及び／又は透光性を有するフィルム部を設けたことを特徴とする日除け帽子である。
【考案の効果】
【０００９】  本考案の日除け帽子は、クラウン部の下周縁に接続されたツバ部を有し、着用者（女性）の顔面下部近傍まで覆う顔覆いツバ部も有するので日焼け防止、風圧除け、素顔隠しなどの効果に優れる。また、透明及び又は透光性のフィルム部を設けてあるので視界確保性にも優れる。更に、クラウン部の後部下周縁からツバ部の後部下周縁に向かって、着用者の髪をツバ部の外にだせる裾広がり状に形成された切欠部を有するので、長い頭髪を有する着用者も快適に着用することができる。
【図面の簡単な説明】
【００１０】
【図１】本考案の日除け帽子の一実施例を示す正面図である。
【図２】本考案の日除け帽子の一実施例を示す背面図である。
【図３】本考案の日除け帽子の一実施例を示す右前方斜視図である。
【図４】本考案の日除け帽子の一実施例を示す左前方斜視図である。
【図５】本考案の日除け帽子の一実施例を示す上面図である。
【図６】本考案の日除け帽子の一実施例を示す低面図である。
【考案を実施するための形態】
【００１１】  本考案の日除け帽子は、着用者の頭部に冠着するクラウン部と、前記クラウン部の下周縁に接続されたツバ部とを備える。ここでクラウン部はトップ部と称されることがあり、ツバ部は庇部と称されることもある。
【００１２】  前記ツバ部は、前記クラウン部の前部下周縁から前方に突き出るように形成された開口部と、前記開口部の下周縁から着用者の顔面下部近傍までを覆う顔覆いツバ部と、前記クラウン部の後部下周縁から前記ツバ部の後部下周縁に向かって、着用者の髪をツバ部の外にだせる裾広がり状に形成された切欠部とを有する。かつ、前記ツバ部の開口部には着用者の視界を妨げない透明及び／又は透光性を有するフィルム部を設けたことを特徴とする。
【実施例】
【００１３】  以下、本考案の一実施例について図面を参照しながら説明する。なお、本考案の日除け帽子は本実施例に限定されるものではない。【００１４】  図１に示すように、日除け帽子１は着用者の頭部に冠着するクラウン部２と、前記クラウン部２の下周縁に接続されたツバ部７とを備えている。クラウン部２及びツバ部７のサイズは、着脱しやすく、日焼け防止効果を呈する範囲であれば特に限定されない。ツバ部７をクラウン部２に下周縁に接続する方法は特に限定されず、公知の縫製方法により一体的に接続することができる。【００１５】  クラウン部２及びツバ７は、通常、ペーパー（合成紙などの厚紙）又は麦わらを編んで構成されるが、これらに限定されるものではなく、種々の植物をはじめとする天然由来の素材や、ナイロンなどの合成樹脂由来の素材などで構成してもよい。また、動物性或いは植物性の天然繊維（例えば綿、麻等）や合成繊維（例えば、ポリエステル、ナイロン、ポリウレタン等）、或いはこれらを混紡した繊維からなる織布で構成してもよい。【００１６】  図１、図３及び図４から分かるように、ツバ部７には、クラウン部２の前部下周縁３から前方に突き出るように形成された開口部（図示されない）がある。その開口部には、着用者の視界を妨げない透明及び／又は透光性を有するフィルム部６を全面にわたって設けてある。すなわち、本考案の日除け帽子からフィルム部６を取り去ると開口部になる。【００１７】  フィルム部６の材質は、通常のサンバイザーの材質として使用されるものであれば、特に限定されないが、セルロイドなどのプラスチック素材が好ましい。フィルム部６の肉厚は、通常、０．１５ｍｍ〜０．２ｍｍの範囲である。また、フィルム部６は色付きであることが好ましい。【００１８】  前記開口部の下周縁から着用者の顔面下部近傍までを覆う顔覆いツバ部４が一体的に接続されている。顔覆いツバ部４の長さは、着用者の顔全面に日焼け防止効果が得られる範囲であれば、特に限定されない。顔覆いツバ部４の接続方法は公知の縫製方法に準じて行うことができる。【００１９】  図２に示すように、クラウン部２の後部下周縁７からツバ部５の後部下周縁に向かって、着用者の髪をツバ部５の外にだせる裾広がり状に形成された切欠部８を有する。切欠部８の外観形状やサイズは着用者の髪をツバ部５の外にだせれば特に限定されない。なお、ツバ部５と顔覆いツバ部５は一体的に形成されているので、本明細書においては同じ符号番号を付してある。
【産業上の利用可能性】
【００２０】  本考案の日除け帽子は、女性用帽子市場のニーズに応えるものであり、産業上の利用可能性を有する。
【符号の説明】
【００２１】  １  日除け帽子
２  クラウン部
３  クラウン部の前部下周縁
４  開口部の下周縁
５  顔覆いツバ部（単に「ツバ部」と記載する場合がある。）
６  フィルム部
７  クラウン部の後部下周縁
８  裾広がり状に形成された切欠部
【図１】
0003217834.tif 000003
【図２】
0003217834.tif 000004
【図３】
0003217834.tif 000005
【図４】
0003217834.tif 000006
【図５】
0003217834.tif 000007
【図６】
0003217834.tif 000008